(57)【要約】【課題】  収容されたシート状物を簡単に且つ容易に取り出すことができるシート状物収容箱を得る。【解決手段】  シート状物を上下方向に重ねて収容するシート状物収容箱であって、板紙やプラスチックシート等の板状素材１２を用いて形成された四角筒状の箱本体１の前後の開口部３，４に、それぞれ開口部３，４を閉塞する蓋部５，６を設け、前記箱本体１の下壁２ｂの一方の開口部３側端部に、該端部を切り欠き開口させて前記収容したシート状物Ｓを露出させて外部に引き出すシート状物引き出し口部８を設け、更に、前記箱本体１内には重ねられた前記シート状物Ｓを下壁２ｂ側に押圧する押圧部材７を配置した。【選択図】    図１
2006008176.tif 000002
【特許請求の範囲】
【請求項１】
シート状物を上下方向に重ねて収容するシート状物収容箱であって、板紙やプラスチックシート等の板状素材を用いて形成された四角筒状の箱本体の前後の開口部には、それぞれ開口部を閉塞する蓋部が設けられ、前記箱本体の下壁の一方の開口部側端部に、該端部を切り欠き開口させて前記収容したシート状物を露出させて外部に引き出すシート状物引き出し口部が設けられ、更に、前記箱本体内には重ねられた前記シート状物を下壁側に押圧する押圧部材が配置されていることを特徴とするシート状物収容箱。
【請求項２】
前記シート状物引き出し口部が設けられている側の前記箱本体の開口部を閉塞する前記蓋部は、箱本体の上壁の開口部側端部に連設された閉塞片部と、該閉塞片部の先端に連設され折曲されて箱本体の下壁側から箱本体内に差し込まれる差込片部からなり、該差込片部により前記押圧部材が構成され、該差込片部により構成される押圧部材と箱本体の下壁の間に前記シート状物が配置され、折曲された差込片部により構成される押圧部材の復元力により前記シート状物が前記下壁側に押圧されるようになっていることを特徴とする請求項１に記載のシート状物収容箱。
【発明の詳細な説明】
【技術分野】
【０００１】
本発明は、シート状の絆創膏や湿布薬等のシート状物を上下に重ねて収容するシート状物収容箱に関するものである。
【背景技術】
【０００２】
シート状の絆創膏や湿布薬等のシート状物を収容する箱として、板紙やプラスチックシート等の板状素材を用いて四角筒状に形成された箱本体に、閉塞片部と差込片部からなり前記箱本体の前後の開口部を閉塞する蓋部が一体に設けられた構造のものが知られている。
【発明の開示】
【発明が解決しようとする課題】
【０００３】
しかしながら、このような構造では、収容されたシート状物の取り出しにあたり、その都度蓋部を開け閉めしなければならず面倒であり、また、箱本体から必要枚数のシート状物を取り出すことが容易でないといった問題点があった。
【０００４】
本発明の目的とするところは、収容されたシート状物を簡単に且つ容易に取り出すことができるシート状物収容箱を提供することにある。
【課題を解決するための手段】
【０００５】
上記の目的を達成するために、請求項１に記載の発明は、シート状物を上下方向に重ねて収容するシート状物収容箱であって、板紙やプラスチックシート等の板状素材を用いて形成された四角筒状の箱本体の前後の開口部には、それぞれ開口部を閉塞する蓋部が設けられ、前記箱本体の下壁の一方の開口部側端部に、該端部を切り欠き開口させて前記収容したシート状物を露出させて外部に引き出すシート状物引き出し口部が設けられ、更に、前記箱本体内には重ねられた前記シート状物を下壁側に押圧する押圧部材が配置されていることを特徴とする。
【０００６】
かかる構成から、箱本体の下壁の一方の開口部側端部に、該端部を切り欠き開口させて前記収容したシート状物を露出させて外部に引き出すシート状物引き出し口部が設けられているので、箱本体内に収容されているシート状物を取り出す際に、前記箱本体の下壁に設けられたシート状物引き出し口部から露出しているシート状物の先端を摘んで外に引き出すことにより、箱本体内からシート状物を容易に取り出すことができる。また、箱本体内のシート状物は押圧部材により下壁側に押圧された状態で収容されているので、シート状物は箱本体の下壁面に圧接した状態で前記シート状物引き出し口部から露出することになり、最後の１枚まで容易に取り出すことができる。
【０００７】
請求項２に記載の発明は、請求項１に記載の、前記シート状物引き出し口部が設けられている側の前記箱本体の開口部を閉塞する前記蓋部は、箱本体の上壁の開口部側端部に連設された閉塞片部と、該閉塞片部の先端に連設され折曲されて箱本体の下壁側から箱本体内に差し込まれる差込片部からなり、該差込片部により前記押圧部材が構成され、該差込片部により構成される押圧部材と箱本体の下壁の間に前記シート状物が配置され、折曲された差込片部により構成される押圧部材の復元力により前記シート状物が前記下壁側に押圧されるようになっていることを特徴とする。
【０００８】
かかる構成から、押圧部材が前記蓋部を構成する閉塞片部の先端に連設され折曲されて箱本体の下壁側から箱本体内に差し込まれる差込片部により構成されているので、このシート状物収容箱を構成する素材の一部を利用して押圧部材を構成することができ、また構成が簡単なので低コスト化を図ることができる。
【発明の効果】
【０００９】
本発明は、シート状物を上下方向に重ねて収容するシート状物収容箱であって、板紙やプラスチックシート等の板状素材を用いて形成された四角筒状の箱本体の前後の開口部には、それぞれ開口部を閉塞する蓋部が設けられ、前記箱本体の下壁の一方の開口部側端部に、該端部を切り欠き開口させて前記収容したシート状物を露出させて外部に引き出すシート状物引き出し口部が設けられ、更に、前記箱本体内には重ねられた前記シート状物を下壁側に押圧する押圧部材が配置されているので、箱本体内に収容されているシート状物を取り出す際に、前記箱本体の下壁に設けられたシート状物引き出し口部から露出しているシート状物の先端を摘んで外に引出すことにより、箱本体内からシート状物を容易に取り出すことができる。また、箱本体内のシート状物は押圧部材により下壁側に押圧された状態で収容されているので、シート状物は箱本体の下壁面に圧接した状態で前記シート状物引き出し口部から露出することになり、最後の１枚まで容易に取り出すことができる。また、構成が簡単なので、製造が容易であり安価に得ることができる。
【発明を実施するための最良の形態】
【００１０】
以下、本発明のシート状物収容箱を実施するための最良の形態における一例を図１乃至図４を参照して詳細に説明する。図１は本例のシート状物収容箱の一部縦断斜視図、図２は図１の一部拡大断面図、図３（Ａ）〜（Ｃ）は本例のシート状物収容箱の箱本体の下壁に設けたシート状物引き出し口部の開口前と開口後とシート状物の引き出し状態を示す説明図、図４はシート状物収容箱の箱本体の下壁に設けたシート状物引き出し口部からシート状物の引き出し状態を示す説明図である。
【００１１】
本例のシート状物収容箱は、箱本体１が、板紙やプラスチックシート等の板状素材により形成されている。この箱本体１は、上壁２ａ、下壁２ｂ、右壁２ｃ、左壁２ｄの４つの壁を持つ四角筒状に形成されており、この箱本体１内に、シート状物Ｓが上下方向に重ねて収容されるようになっている。これらシート状物Ｓは、例えばシート状をなしていて相互に粘着しないように被覆が施されている絆創膏や湿布薬等からなるものである。
【００１２】
前記シート状物Ｓを収容する箱本体１の前後の開口部３，４は、蓋部５，６で閉塞されている。前記蓋部５，６は、いずれも箱本体１の上壁２ａの開口部３，４側端部に連設された閉塞片部５ａ，６ａと、該閉塞片部５ａ，６ａの先端に連設され折曲されて箱本体１の下壁２ｂ側から箱本体１内に差し込まれる差込片部５ｂ，６ｂから構成されている。前記蓋部５，６は前記差込片部５ｂ，６ｂが折曲されて下壁２ｂに沿って箱本体１内に差し込まれ、蓋部５，６が開口部３，４を閉塞した状態に保持されている。
【００１３】
前記箱本体１内には、該箱本体１内に上下方向に重ねて収容されたシート状物Ｓを下壁２ｂ側に押圧する押圧部材７が配置されている。本例では、前記押圧部材７は蓋部５の差込片部５ｂにより構成されている。そして、前記上下方向に重ねて収容されたシート状物Ｓは前記差込片部５ｂと箱本体１の下壁２ｂの間に配置され、閉塞片部５ａから折曲された差込片部５ｂの復元力により前記シート状物Ｓが前記下壁側に押圧されるようになっている。
【００１４】
また、前記箱本体１の下壁２ｂの前側の開口部３側端部には、前記箱本体１内に収容したシート状物Ｓを露出させて外部に引き出すシート状物引き出し口部８が設けられている。このシート状物引き出し口部８は、前記箱本体１の下壁２ｂに入れられたミシン目８ａの内側を切除することにより形成される。また、このシート状物引き出し口部８の大きさは、シート状物引き出し口部８から露出するシート状物Ｓの端部を外部から摘める程度の大きさで足り、シート状物引き出し口部８から露出するシート状物Ｓは、その端部を摘んで蓋部５の差込片部５ｂと箱本体１の下壁２ｂの端部との間の隙間から引き出し、箱本体１から取り出せるようになっている。
【００１５】
また、前記下壁２ｂの前側の開口部３側端辺には、前記シート状物引き出し口部８を形成するミシン目８ａの内側から係止片９が突出するように連接している。また、前記蓋部５の閉塞片部５ａと差込片部５ｂの境界に前記係止片９が挿入されるスリット１０が形成されている（図２）。そして、前記下壁２ｂに形成されたシート状物引き出し口部８の開口前は、前記係止片９が前記蓋部５の閉塞片部５ａと差込片部５ｂの境界に形成されているスリット１０に挿入されており、シート状物Ｓが蓋部５の差込片部５ｂと箱本体１の下壁２ｂの端部との間の隙間から抜け出さないようになっている。そして、前記係止片９は、シート状物引き出し口部８の開口時に、下壁２ｂに入れられたミシン目８ａの内側の切除により取り除かれるものとなる。
【００１６】
更に、前記箱本体１の上壁２ａには、取り出されたシート状物Ｓの分割片を嵌めて係止する中央部を狭めたＨ状の切り込み係止部１１が設けられている。
【００１７】
このように構成されたシート状物収容箱は、該シート状物収容箱にシート状物Ｓを収容する場合、箱本体１の後側の開口部４を閉塞している蓋部６の差込片部６ｂを箱本体１内から引き出すことにより前記開口部４を開き、上下方向に重ねた複数枚のシート状物Ｓを開口部４から箱本体１内に入れ、前記シート状物Ｓを押圧部材７を構成する前側の開口部３を閉塞している蓋部５の差込片部５ｂと箱本体１の下壁２ｂの間に配置し、そして、前記蓋部６で開口部４を閉塞するようにして収容する。
【００１８】
このようにして箱本体１内に収容されたシート状物Ｓは、閉塞片部５ａから折曲された差込片部５ｂの復元力により下壁２ｂ側に押圧された状態となる。
【００１９】
前記のようにして箱本体１内に収容されているシート状物Ｓを取り出す場合、先ず、箱本体１の下壁２ｂに入れられたミシン目８ａの内側を切除してシート状物引き出し口部８を開口させるとともに、係止片９を蓋部５の閉塞片部５ａと差込片部５ｂの境界に形成されているスリット１０から抜き取る（図３Ａ，Ｂ）。そして、開口したシート状物引き出し口部８から露出するシート状物Ｓの端部を摘んで蓋部５の差込片部５ｂと箱本体１の下壁２ｂの端部との間の隙間から引き出すことにより、箱本体１からシート状物Ｓを１枚づつ確実にかつ容易に取り出すことができる（図３Ｃ，図４）。
【００２０】
このとき、前記シート状物Ｓは、押圧部材７を構成している差込片部５ｂの復元力により下壁２ｂ側に押圧された状態で収容されているので、シート状物Ｓは箱本体１の下壁２ｂ面に圧接した状態で前記シート状物引き出し口部８から露出することになり、最後の１枚まで容易に取り出すことができる。
【００２１】
また、前記箱本体１の上壁２ａには、取り出されたシート状物Ｓの分割片を嵌めて係止する中央部を狭めたＨ状の切り込み係止部１１が設けられているので、箱本体１内に収容しているシート状物Ｓが、例えばミシン線で分割されるように構成されているような場合、ミシン目から分割した１片を使用した時、残りの他片を前記切り込み係止部１１に嵌めて保管することができる。
【００２２】
図５は本例のシート状物収容箱の展開図を示したものである。本例のシート状物収容箱は１枚の板状素材１２を展開図に示す形状に打ち抜き、折れ線に沿って折曲して組み立てたものである。この展開図において、箱本体１を形成する上壁２ａ、下壁２ｂ、右壁２ｃ、左壁２ｄは、その側辺が折れ線１３ａ，１３ｂ，１３ｃを介して連接している。そして、前記下壁２ｂの非連接側辺には、右壁２ｃの非連接側辺に接着される接着片１４が折れ線１５を介して連接している。
【００２３】
また、下壁２ｂの上端部には、シート状物引き出し口部８を形成するミシン目８ａが設けられている。更に、下壁２ｂの上端辺には、前記ミシン目８ａの内側から突出するように折れ線１６を介して係止片９が連接している。
【００２４】
また、前記上壁２ａの上端辺には、折れ線１７を介して蓋部５を構成する閉塞片部５ａが連接し、この閉塞片部５ａに折れ線１８を介して差込片部５ｂが連接している。そして、前記閉塞片部５ａと差込片部５ｂが連接している折れ線１８上には、前記係止片９が挿入可能なスリット１０が形成されている。
【００２５】
また、前記上壁２ａの下端辺には、折れ線１９を介して蓋部６を構成する閉塞片部６ａが連接し、この閉塞片部６ａに折れ線２０を介して差込片部６ｂが連接している。
【００２６】
更に、上壁２ａには、取り出されたシート状物Ｓの分割片を嵌めて係止する中央部を狭めたＨ状の切り込み係止部１１が設けられている。
【００２７】
また、右壁２ｃの上下端辺には、折れ線２１，２２を介して蓋部５，６の内面を支える支え片２３，２４が連接しており、同様に、左壁２ｄの上下端辺にも、折れ線２５，２６を介して蓋部５，６の内面を支える支え片２７，２８が連接している。
【００２８】
このように打ち抜き加工された板状素材１２でシート状物収容箱を形成する場合、先ず、上壁２ａ、下壁２ｂ、右壁２ｃ、左壁２ｄを、折れ線１３ａ，１３ｂ，１３ｃ沿って折曲し、下壁２ｂの解放側の側辺に連接している接着片１４を右壁２ｃの解放辺に接着して四角筒状の箱本体１を形成する。
【００２９】
次に、右壁２ｃと左壁２ｄの上端辺に連接している支え片２３，２７を折れ線２１，２５から内側、即ち開口部３内方へ折曲する。この後、上壁２ａの上端辺に連接している蓋部５を構成する閉塞片部５ａを折れ線１７から内側へ折曲して開口部３を閉塞し、前記閉塞片部５ａに連接している差込片部５ｂを折れ線１８から折曲して下壁２ｂに沿って箱本体１内に差し込む。このようにして蓋部５は筒本体１の一方（前側）の開口部３を閉塞した状態に保持される。
【００３０】
このようにして、差込片部５ｂを下壁２ｂに沿って箱本体１内に差し込んだら、下壁２ｂの上端辺に連接している係止片９を折れ線１６から折曲して前記閉塞片部５ａと差込片部５ｂが連接している折れ線１８上に形成されているスリット１０に挿入する。
【００３１】
次に、右壁２ｃと左壁２ｄの下端辺に連接している支え片２４，２８を折れ線２２，２６から内側、即ち開口部４内方へ折曲する。この後、上壁２ａの上端辺に連接している蓋部６を構成する閉塞片部６ａを折れ線２０から内側へ折曲して開口部４を閉塞し、前記閉塞片部６ａに連接している差込片部６ｂを折れ線２０から折曲して下壁２ｂに沿って箱本体１内に差し込む。このようにして蓋部６は筒本体１の他方（後側）の開口部４を閉塞した状態に保持される。このようにしてシート状物収容箱が形成される。
【００３２】
かかるシート状物収容箱内へのシート状物Ｓの収容にあっては、箱本体１の他方（後側）の開口部４を閉塞する前に、箱本体１の他方の開口部４から箱本体１内にシート状物Ｓを収容し、その後、前記のようにして蓋部６で箱本体１の他方の開口部４を閉塞する。
【００３３】
このように、シート状物収容箱の成形に当たり、１枚の板状素材１２をシート状物収容箱の展開状態に打ち抜き、折れ線に沿って折曲して組み立てて成形するので、構成が簡単であり、容易に成形することができるとともに安価に得ることができる。
【図面の簡単な説明】
【００３４】
【図１】本発明のシート状物収容箱を実施するための最良の形態における一例を示す一部縦断斜視図である。
【図２】図１の一部拡大断面図である。
【図３】（Ａ）〜（Ｃ）は本例のシート状物収容箱の箱本体の下壁に設けたシート状物引き出し口部の開口前と開口後とシート状物の引き出し状態を示す説明図である。
【図４】シート状物収容箱の箱本体の下壁に設けたシート状物引き出し口部からシート状物の引き出し状態を示す説明図である。
【図５】本例のシート状物収容箱の展開図である。
【符号の説明】
【００３５】
１  箱本体
２ａ  上壁
２ｂ  下壁
２ｃ  右壁
２ｄ  左壁
３，４  開口部
５  蓋部
５ａ  閉塞片部
５ｂ  差込片部
６  蓋部
６ａ  閉塞片部
６ｂ  差込片部
７  押圧部材
８  シート状物引き出し口部
８ａ  ミシン目
９  係止片
１０  スリット
１１  切り込み係止部
１２  板状素材
１３ａ，１３ｂ，１３ｃ  折れ線
１４  接着片
１５，１６，１７，１８，１９，２０，２１，２２  折れ線
２３，２４  支え片
２５，２６  折れ線
２７，２８  支え片
Ｓ  シート状物
【図１】
2006008176.tif 000003
【図２】
2006008176.tif 000004
【図３】
2006008176.tif 000005
【図４】
2006008176.tif 000006
【図５】
2006008176.tif 000007